(57)【要約】  昇降路内を延びるケーブルを所定のベースに容易に取り付けることができるエレベータのケーブル処理装置を提供する。ケーブル処理装置は、昇降路内を延びるケーブル３を支持しておく支持部材４と、支持部材が固定されるベース１ｆとを備える。支持部材及びベースの一方には、根元部分の径よりも大きな径を有する拡径部分を含んだ突起部４ａが、少なくとも一つ設けられている。支持部材及びベースの他方には、突起部が挿通される留め穴１３が突起部に対応して設けられている。留め穴は、抜き差し部分と抜け止め部分とを有している。抜き差し部分は、突起部の拡径部分が貫通できる大きさを有している。抜け止め部分は、突起部の拡径部分が抜き差しできず且つ根元部分が貫通できる大きさ有している。
2012086030.tif 000002
【特許請求の範囲】
【請求項１】
昇降路内を延びるケーブルを支持しておく支持部材と、
前記支持部材が固定されるベースとを備え、
前記支持部材及び前記ベースの一方には、根元部分の径よりも大きな径を有する拡径部分を含んだ突起部が、少なくとも一つ設けられており、
前記支持部材及び前記ベースの他方には、前記突起部が挿通される留め穴が該突起部に対応して設けられており、
前記留め穴は、抜き差し部分と抜け止め部分とを有しており、
前記抜き差し部分は、前記突起部の前記拡径部分が貫通できる大きさを有しており、
前記抜け止め部分は、前記突起部の前記拡径部分が抜き差しできず且つ前記根元部分が貫通できる大きさ有している
エレベータのケーブル処理装置。
【請求項２】
前記突起部は、前記支持部材における前記ベースと対面する部分に該ベース側からねじ込まれた締結部材であり、
前記根元部分は、前記締結部材のねじ軸部であり、且つ、前記拡径部分は、前記締結部材のねじ頭部である、
請求項１のエレベータのケーブル処理装置。
【請求項３】
前記ベースには、前記ケーブルのための連絡窓が形成されており、
前記留め穴の前記抜き差し部分は、前記連絡窓からなる、
請求項１又は２のエレベータのケーブル処理装置。
【請求項４】
前記突起部及び対応する前記留め穴はそれぞれ、複数、設けられている、請求項１乃至３の何れか一項のエレベータのケーブル処理装置。
【請求項５】
前記支持部材には、下向きに開口した覆い部分を有しており、
前記ケーブルは、前記覆い部分の内側に配置され該覆い部分によって上下方向に案内される、
請求項１乃至４の何れか一項のエレベータのケーブル処理装置。
【請求項６】
前記支持部材における外面であって、前記覆い部分の下方の部分には、前記固定金が取り付けられており、
前記ケーブルは、前記固定金と前記支持部材の外面との間に挟まれて固定されている、
請求項１乃至５の何れか一項のエレベータのケーブル処理装置。
【請求項７】
前記支持部材における前記覆い部分の内側には、固定ばねが取り付けられており、
前記固定ばねは、自身の弾性復元力によって、前記覆い部分に取り付くと共に、該覆い部分の内側面との間で前記ケーブルを挟み込むことで該ケーブルを固定している、
請求項１乃至５の何れか一項のエレベータのケーブル処理装置。
【請求項８】
前記支持部材における前記覆い部分には、固定線部材が巻きつけられており、
前記固定線部材は、前記覆い部分の内外を縫うように延び、該覆い部分の内側面との間で前記ケーブルを挟み込むことで該ケーブルを固定している、
請求項１乃至５の何れか一項のエレベータのケーブル処理装置。
【発明の詳細な説明】
【技術分野】
【０００１】
本発明は、エレベータのケーブル処理装置に関するものである。
【背景技術】
【０００２】
エレベータは、構造物に形成された複数階の乗場と昇降路と、さらにその昇降路内に昇降可能に配置されたかごとを備えている。エレベータの各乗場には、エレベータへ呼びを登録したり、エレベータの現在位置を表示したりするための操作表示装置が設けられている。この操作表示装置は、ボタンや表示器を内蔵するための筺体が乗場を構成する構造物の壁に埋設されている。通常、操作表示装置のボタンや表示器等にケーブルを接続するため、操作表示装置の筺体には、配線穴や、配線穴を覆う配線装置が設けられており、それら配線穴や配線装置を用いて、ケーブルが筺体に対して入線・固定されている。【０００３】
このような配線用のカバーとして、特開平３−４２４８１号公報に開示された構成がある。この構成では、ボックスの裏面に、ケーブルを通す配線孔、ケーブル固定用のクランプを取り付けるための上部ねじ穴、下部ガイド孔、さらにケーブルを押えるための突起部等が形成されている。そして、クランプをボックス裏面に取り付けることで、ケーブルをボックス裏面とクランプとで挟み込むようにしてケーブルの固定を行う。クランプのボックス裏面への固定は、クランプ下部の二つのガイドを、ボックスの対応する下部ガイド孔に挿入し引っ掛けた状態のまま、クランプの上からビスをボックスの上部ねじ穴にねじ込むことで行われる。【０００４】
また、他の例としては、特開２００８−８１３１１号公報に開示された構成がある。この構成では、ケーブルの先端側にアングル状の取付部材及び可撓性部材を取り付けておき、ボックスの背面部と取付部材との間に可撓性部材が挟まれるような状態で、取付部材をボルトによって背面部に固定する。【０００５】
しかしながら、これらの従来の構成においては、作業スペースの制約の多い昇降路内からクランプや取付部材の添え置き作業、ねじ穴等の厳密な位置合わせ作業、さらにはその後のねじ締め作業といった作業を行わなければならかった。したがって、やりづらく手間のかかる作業となっていた。
【先行技術文献】
【特許文献】
【０００６】
【特許文献１】特開平３−４２４８１号公報
【特許文献２】特開２００８−８１３１１号公報
【発明の概要】
【発明が解決しようとする課題】
【０００７】
本発明は、上記に鑑みてなされたものであり、昇降路内を延びるケーブルを所定のベースに容易に取り付けることができるエレベータのケーブル処理装置を提供することを目的とする。
【課題を解決するための手段】
【０００８】
上述した目的を達成するため、本発明のエレベータのケーブル処理装置は、昇降路内を延びるケーブルを支持しておく支持部材と、前記支持部材が固定されるベースとを備え、前記支持部材及び前記ベースの一方には、根元部分の径よりも大きな径を有する拡径部分を含んだ突起部が、少なくとも一つ設けられており、前記支持部材及び前記ベースの他方には、前記突起部が挿通される留め穴が該突起部に対応して設けられており、前記留め穴は、抜き差し部分と抜け止め部分とを有しており、前記抜き差し部分は、前記突起部の前記拡径部分が貫通できる大きさを有しており、前記抜け止め部分は、前記突起部の前記拡径部分が抜き差しできず且つ前記根元部分が貫通できる大きさ有している。
【発明の効果】
【０００９】
本発明のエレベータのケーブル処理装置によれば、昇降路内を延びるケーブルを所定のベースに容易に取り付けることができる。
【図面の簡単な説明】
【００１０】
【図１】エレベータの乗場側に設けられた操作表示装置を示す図である。
【図２】図１のＩＩ−ＩＩ線に沿う操作表示装置の断面を示す図である。
【図３】昇降路側からみたケーブル処理装置の斜視図である。
【図４】（ａ）、（ｂ）及び（ｃ）はそれぞれ、実施の形態１に係るエレベータのケーブル処理装置について、昇降路側、側方及び下方からみた状態を示す図である。
【図５】（ａ）、（ｂ）及び（ｃ）はそれぞれ、実施の形態２に係るエレベータのケーブル処理装置について、昇降路側、側方及び下方からみた状態を示す図である。
【図６】実施の形態２に係るエレベータのケーブル処理装置に設けられた、固定ばねを示す図である。
【図７】（ａ）、（ｂ）及び（ｃ）はそれぞれ、実施の形態３に係るエレベータのケーブル処理装置について、昇降路側、側方及び下方からみた状態を示す図である。
【発明を実施するための形態】
【００１１】
以下、本発明に係るエレベータのケーブル処理装置の実施の形態について添付図面に基づいて説明する。なお、図中、同一符号は同一又は対応部分を示すものとする。
【００１２】
実施の形態１．
図１は、エレベータの乗場側に設けられた操作表示装置を示す図であり、図２は、図１のＩＩ−ＩＩ線に沿う操作表示装置の断面を示す図である。操作表示器具１は、エレベータの乗場に設置され、エレベータ利用者にかごの到着を報知する位置表示器や乗場呼びを登録する乗場ボタンを内蔵するものである。操作表示器具１は、表板１ａの裏面に、乗場壁２に埋設された筺体１ｆを備えている。筺体１ｆ内には、位置表示器１ｂや呼びボタン１ｃが収納されており、かかる位置表示器１ｂや呼びボタン１ｃは、表板１ａに露出している。
【００１３】
本実施の形態のエレベータのケーブル処理装置は、上記の位置表示器１ｂや呼びボタン１ｃに対して、昇降路内を延びるケーブル３を接続するものである。主に、図３及び図４に基づいて、本実施の形態に係るエレベータのケーブル処理装置の詳細を説明する。図３は、昇降路側からみたケーブル処理装置の斜視図であり、図４の（ａ）、（ｂ）及び（ｃ）はそれぞれ、実施の形態１に係るエレベータのケーブル処理装置について、昇降路側、側方及び下方からみた状態を示す図である。
【００１４】
ケーブル処理装置１０は、ケーブル３を支持しておく支持部材としての配線用カバー４と、その支持部材が固定されるベースとしての筺体１ｆとを含んでいる。なお、配線用カバーや筺体は、支持部材やベースの一例である。よって、本発明は、本実施の形態に示す構造とは異なる構造の配線用カバーや筺体を、支持部材やベースとして適用してもよく、さらには、配線用カバーや筺体とは全く別のものを支持部材やベースの対象として実施することもできる。
【００１５】
支持部材及びベースの一方、すなわち本実施の形態では、配線用カバー４には、根元部分の径よりも大きな径を有する拡径部分を含んだ突起部が少なくとも一つ設けられている。具体的には、突起部として締結部材を用いることができ、本例では、２本のねじ４ａを、締結部材として用いる。ねじ４ａはそれぞれ、根元部分としてのねじ軸部１１と、拡径部分としてのねじ頭部１２とを有する。ねじ４ａはそれぞれ、配線用カバー４における筺体１ｆと対面する部分に、筺体１ｆ側（乗場側）からねじ込まれている。
【００１６】
筺体１ｆの背面（昇降路側の面）には、ケーブル３を通すための連絡窓としての矩形の配線穴１ｇが形成されている。配線穴１ｇは、位置表示器１ｂや呼びボタン１ｃに接続するためのケーブル３を固定する配線用カバー４によって昇降路側から覆われており、それによって埃や水等が配線穴１ｇを介して筺体１ｆ内に浸入することが防止されている。
【００１７】
また、支持部材及びベースの他方、すなわち本実施の形態では、筺体１ｆには、ねじ４ａが挿通される留め穴１３が当該ねじ４ａに対応して２つ設けられている。留め穴１３はそれぞれ、抜き差し部分１４と抜け止め部分１５とを有している。抜き差し部分１４は、抜け止め部分１５よりも大きく形成されている。詳細には、抜き差し部分１４は、ねじ４ａのねじ頭部１２が貫通できる大きさを有している。抜け止め部分１５は、ねじ４ａのねじ頭部１２が抜き差しできず且つねじ軸部１１が貫通できる大きさ有している。
【００１８】
抜き差し部分１４及び抜け止め部分１５をより具体的に説明する。まず、１つ目の留め穴１３は、配線穴１ｇの上方に位置しており、その抜き差し部分１４は大径丸穴で構成され、抜け止め部分１５は、抜き差し部分１４の大径丸穴よりも小さく且つ大径丸穴と重なるように当該大径丸穴とつながった小径丸穴で構成されている。一方、２つ目の留め穴１３は、配線穴１ｇを利用して構成されている。すなわち、２つ目の留め穴１３の抜き差し部分１４は、大径の角穴である配線穴１ｇそのものであり、抜け止め部分１５は、配線穴１ｇの下側角部において配線穴１ｇとつながる小径丸穴で構成されている。
【００１９】
また、図３及び図４に示されるように、留め穴１３それぞれにおいて、抜け止め部分１５は、抜き差し部分１４よりも下側に位置している。特に本実施の形態では、各抜け止め部分１５は、対応する抜き差し部分１４の斜め下側に配置されている。
【００２０】
次に、配線用カバー４とケーブル３との接続について説明する。配線用カバー４には、下向きに開口すると共に昇降路側に突出する覆い部分１６が形成されている。この覆い部分１６における乗場側の面には、ケーブル３を筺体１ｆに導入するための溝４ｂが形成されている。ケーブル３は、覆い部分１６の内側に配置され当該覆い部分１６によって上下方向に案内される。
【００２１】
さらに、配線用カバー４における外面（昇降路側の面）であって、覆い部分１６の下方の部分には、ケーブル固定金４ｃが取り付けられている。ケーブル固定金４ｃは、特に図４（ｃ）によく示されているように、大部分がアーチ状に構成されている。ケーブル固定金４ｃの一端は、覆い部分１６下部の開口または専用の貫通穴を介して、配線用カバー４の昇降路側から乗場側に引っ掛けられており、ケーブル固定金４ｃの他端は、締結手段４ｄによって配線用カバー４に固定されている。ケーブル３は、ケーブル固定金４ｃのアーチ内側面と配線用カバー４の外面との間に挟まれて固定されている。
【００２２】
次に、上記のように構成された配線用カバーの筺体への取付手順について説明する。まず、ケーブル３をケーブル固定金４ｃを用いて配線用カバー４に固定した状態で、配線用カバー４を筺体１ｆ近傍に配置する。また、配線用カバー４には２本のねじ４ａを取り付けておくが、このとき、各ねじ４ａのねじ頭部１２は配線用カバー４の乗場側の表面から所定の距離（例えば筺体の厚み＋１ｍｍ程度）浮かせた状態に保持しておく。
【００２３】
そして、上述した状態の配線用カバー４を、２本のねじ４ａが対応する留め穴１３の抜き差し部分１４に挿入されるようにして、筺体１ｆにあてがう。このとき、ねじ頭部１２は、記のように配線用カバー４の表面から浮かせた状態にあるので、留め穴１３の抜き差し部分１４を通り抜けており、留め穴１３内にはねじ軸部１１が位置するようになっている。また、ケーブル３の先端は、配線穴１ｇを通り抜け、位置表示器１ｂや呼びボタン１ｃに十分、届くように延びている。換言するならば、このような状態が得られるような関係・位置・態様で、上述した配線穴１ｇ、留め穴１３及びねじ４ａが設けられているものとする。
【００２４】
その後、配線用カバー４を筺体１ｆに対して斜め下方にスライドさせ、２本のねじ４ａのねじ軸部１１が対応する留め穴１３の抜け止め部分１５に位置するようにする。これにより、ねじ４ａのねじ頭部１２が留め穴１３の抜け止め部分１５に引っ掛かるようになり、配線用カバー４は、筺体１ｆに対して離隔しないように支持され、すなわち、配線用カバー４が仮固定される。
【００２５】
その後、乗場側より位置表示器１ｂ、呼びボタン１ｃへケーブル３のコネクタを接続すると共に、配線用カバー４に螺合するねじ４ａそれぞれを十分に締め付けることによって配線用カバー４の筺体１ｆへの本固定を完了させる。なお、ケーブル３のコネクタ接続と、配線用カバー４の本固定とは、状況に応じて何れを先に開始してもよいし、何れを先に終了してもよい。
【００２６】
以上のような本実施の形態に係るエレベータのケーブル処理装置によれば、突起部を留め穴に引っ掛かるだけで配線用カバーを操作表示器具の筺体に仮固定できるため、作業者は昇降路側からねじ穴等の厳密な位置合わせ作業やその後のねじ締め作業といった作業を行わなくて済む。すなわち、作業スペースの制約が多い昇降路内からは、突起部を所定の穴に引っ掛けるという作業だけよく、工具も用いることなく昇降路側で必要な作業を完了でき、昇降路内を延びるケーブルを所定の対象に容易に取り付けることができる。
【００２７】
また、突起部としては、乗場側からねじこまれた締結手段を用いるので、仮固定時には、締結部材を緩めた状態でねじ込んでおき、締結部材を留め穴に引っ掛けた状態で締結部材を締め込めば、そのまま本固定が行える。よって、仮固定と本固定に共通の手段を用いることができ、部品点数の削減を図ることができる。さらに、本固定前には既に締結手段がセットされた状態となっているため締結手段を手に持ってねじ穴に入れる前に締結手段が落下してしまう恐れがなく、且つ、本固定時には、乗場側から、ドライバー等の極めて一般的な工具を用いた簡便な作業だけでよい。よって、作業性が極めて良好となっている。
【００２８】
また、筺体に設けた穴を、ケーブルを対象物に接続するように導く穴（連絡窓）と、突起部の拡径部分を挿通させるための抜き差し部分としての穴という二つの機能で用いることができる。よって、個別に抜き差し部分を設けなくて済むため、製作・加工の簡素化を図ると共に、構造の複雑化を回避することができる。また、留め穴を形成するために要する領域の省スペース化を図ることもできる。
【００２９】
また、突起部及び留め穴が複数セット設けられているので、本固定前の仮固定の段階で既に配線用カバーの筺体に対する回転が抑止されており、安定した状態で、仮固定から本固定作業へと移行することができる。
【００３０】
また、ケーブルは、配線用カバーの覆い部分によって上下方向に延びるように案内されるので、配線用カバーから昇降路へと延びるケーブルを下向きに寝かせ、すなわち、配線用カバーからケーブルを垂直に延ばさないようにし、昇降路側へのケーブルの出っ張りを回避することができる。
【００３１】
さらに、ケーブルは、覆い部分に案内された状態で、ケーブル固定金によって押し付けられるようにして固定されるので、ケーブルが配線用カバーの外面に対してバタつくことを防止し、ケーブルが覆い部分内で望ましい状態で維持されるようにすることができる。
【００３２】
実施の形態２．
次に、図５及び図６に基づいて、実施の形態２に係るエレベータのケーブル処理装置について説明する。図５の（ａ）、（ｂ）及び（ｃ）はそれぞれ、実施の形態２に係るエレベータのケーブル処理装置について、昇降路側、側方及び下方からみた状態を示す図であり、図６は、実施の形態２に係るエレベータのケーブル処理装置に設けられた、固定ばねを示す図である。
【００３３】
本実施の形態２は、実施の形態１において、固定金に関係する構成を改変したものであり、他の部分については、実施の形態１と同様な構成でよいものとする。ケーブル処理装置２０は、板状の固定ばね５を備えている。固定ばね５は、配線用カバー４における覆い部分１６の内側に取り付けられている。
【００３４】
固定ばね５は、半円形状のケーブル押さえ部５ａと、その両端に位置する左右一対の山部５ｂとを有している。また、配線用カバー４の覆い部分１６の両側部には、一対の山部５ｂが挿入される差し込み穴４ｅが、複数対、形成されている。
【００３５】
固定ばね５は、自然状態よりも湾曲された状態となるように左右一対の山部５ｂが覆い部分１６の対応する対の差し込み穴４ｅに挿入され、自身の弾性復元力によって、覆い部分１６に取り付いている。そして、固定ばね５は、図示のように覆い部分１６の内側面との間でケーブル３を挟み込むことでケーブル３を固定している。また、一対の山部５ｂを挿入する対象の差し込み穴４ｅの対を変えることで、固定ばね５と覆い部分１６の内側面との間に生じる空間の大きさを変更することができる。
【００３６】
以上のような本実施の形態２に係るエレベータのケーブル処理装置によっても、上記実施の形態１と同様に、昇降路内を延びるケーブルを所定の対象に容易に取り付けることができる。さらに、本実施の形態２では、固定ばねの弾性復元力を利用して、固定ばね自身の保持と、ケーブルの固定とを行うことができ、部品点数の削減と、固定ばねの着脱作業の容易化とを実現することができる。さらに、固定ばねは、弾性復元力を利用して取り付けられることから、取り付け位置の変更が容易である。さらに、固定ばねには、固定時に変形と復元力発生とが期待でき、一つの固定ばねをもって、異なる太さのケーブルの固定に対応することができ、ひいては用意すべき固定ばねの種類の削減にもつながる。
【００３７】
実施の形態３．
次に、図７に基づいて、実施の形態３に係るエレベータのケーブル処理装置について説明する。図７の（ａ）、（ｂ）及び（ｃ）はそれぞれ、実施の形態３に係るエレベータのケーブル処理装置について、昇降路側、側方及び下方からみた状態を示す図である。
【００３８】
本実施の形態３も、実施の形態１において、固定金に関係する構成を改変したものであり、他の部分については、実施の形態１と同様な構成でよいものとする。ケーブル処理装置３０は、固定線部材６を備えている。固定線部材６は、例えばバインド線等の紐状の部材であり、配線用カバー４における覆い部分１６に巻きつけられる。覆い部分１６の両側部には、貫通穴４ｆが形成されている。また、覆い部分１６の突出に関する頂部には、引っ掛け長穴４ｇが設けられている。
【００３９】
固定線部材６は、左右の貫通穴４ｆを交互に挿通されることによって、覆い部分１６の内外を縫うように延びる。これにより、固定線部材６は、図示されるように、覆い部分１６の内側面との間でケーブル３を挟み込むことでケーブル３を固定している。一例として、固定線部材６は、ある程度、十分な長さを予め用意しておき、固定対象のケーブル３の太さに応じた長さ分を利用して巻き付けを行い、余った長さ分は巻き付け後に切除するようにしてもよい。
【００４０】
また、固定線部材６を覆い部分１６に巻きつけた際、固定線部材６を引っ掛け長穴４ｇに落ち込ませる。それにより、固定線部材６は長穴４ｇに引っ掛かり、覆い部分１６に対する固定線部材６の位置ずれを防止することができる。
【００４１】
以上のような本実施の形態３に係るエレベータのケーブル処理装置によっても、上記実施の形態１と同様に、昇降路内を延びるケーブルを所定の対象に容易に取り付けることができる。さらに、本実施の形態３では、固定線部材における利用長さ分が状況に応じて異なるだけで、部材としては十分に長い紐状のものを単に要しておくだけでよいため、固定線部材として多くのバリエーションを用意しなくても、広範なケーブル太さにわたってケーブルの固定に対応することができる。
【００４２】
以上、好ましい実施の形態を参照して本発明の内容を具体的に説明したが、本発明の基本的技術思想及び教示に基づいて、当業者であれば、種々の改変態様を採り得ることは自明である。
【００４３】
例えば、上述した実施の形態は、乗場側の操作表示器具に対するケーブルの接続のためにケーブル処理装置を設ける態様として説明したものであるが、本発明のエレベータのケーブル処理装置は、かご側の操作表示器具に対するケーブルの接続のために用いることも可能である。
【００４４】
また、本発明で扱うケーブルは、線状部材であれば特に限定されず、電気的信号の伝達や給電の用途に用いるものに限らない。よって、本発明は、他の挙げると、光ファイバーを含むケーブルや、動力伝達用のワイヤなど対して適用することも可能である。
【００４５】
また、乗場側、かご側を問わず、本発明は、操作表示器具以外の機器に線状部材を接続する場面を対象に広く適用することができる。
【００４６】
また、上記実施の形態におけるねじは、突起部さらには突起部を構成する締結手段としての一例であり、本発明の突起部はねじ以外のものを用いてもよい。例えば、仮固定を提供する突起部を支持部材と一体成形または接着等しておき、本固定は、仮固定用の突起部とは別のねじ等の手段を用意しておいてもよい。
【００４７】
また、本発明は、突起部をベース側に設け、留め穴を支持部材側に設けて実施することもできる。さらに、突起部及び留め穴の数やその形成位置は、適宜、改変することが可能である。
【符号の説明】
【００４８】
１ｆ  筺体（ベース）、１ｇ  配線穴（連絡窓）、３  ケーブル、４  配線用カバー（支持部材）、４ａ  ねじ（突起部）、４ｃ  ケーブル固定金、５  固定ばね、６  固定線部材、１０，２０，３０  ケーブル処理装置、１１  ねじ軸部（根元部分）、１２  ねじ頭部（拡径部分）、１３  留め穴、１４  抜き差し部分、１５  抜け止め部分、１６  覆い部分。
【図１】
2012086030.tif 000003
【図２】
2012086030.tif 000004
【図３】
2012086030.tif 000005
【図４】
2012086030.tif 000006
【図５】
2012086030.tif 000007
【図６】
2012086030.tif 000008
【図７】
2012086030.tif 000009
【国際調査報告】
2012086030.tif 000010
2012086030.tif 000011
2012086030.tif 000012
2012086030.tif 000013